(57)【要約】  【課題】コイン収納部28の上方域に突出するオーバーフローシュート38の下側域からコインＣを逃がすことができるコイン繰出装置15を提供する。  【解決手段】コイン収納部28の下部域に、コインＣを繰り出すコイン繰出機構24を設ける。コイン収納部28の上方域に突出して、コイン収納部28に所定量以上収納されるコインＣを排出するオーバーフローシュート38を設ける。オーバーフローシュート38の下側に、オーバーフローシュート38の下側域のコインＣをその下側域から逃がす方向へ向けてガイドするガイド部44を設ける。オーバーフローシュート38の下側域で積み重なったコインＣをガイド部44で逃がし、コイン繰出機構24とオーバーフローシュート38との間でコインＣが突っ張った状態となるのを防止する。コイン繰出機構24に負荷がかかるのを軽減し、コイン繰出機構24がロックしてコイン繰出不能になるのを防止する。  【選択図】図１
2005309848.tif 000002
【特許請求の範囲】
【請求項１】
コインを収納するコイン収納部と、
このコイン収納部に収納されたコインを繰り出すコイン繰出機構と、
前記コイン収納部の上方域の一部に突出する突出部と、
この突出部の下側に設けられ、突出部の下側域のコインをその突出部の下側域から逃がす方向へ向けてガイドするガイド部と
を具備していることを特徴とするコイン繰出装置。
【請求項２】
ガイド部はコインを逃がす方向へ向けて突出するリブ状に設けられている
ことを特徴とする請求項１記載のコイン繰出装置。
【請求項３】
リブ状のガイド部は間隔をあけて複数設けられている
ことを特徴とする請求項２記載のコイン繰出装置。
【請求項４】
複数のガイド部の間隔はコインの直径より小さく設けられている
ことを特徴とする請求項３記載のコイン繰出装置。
【請求項５】
ガイド部はコインを逃がす方向へ向けて傾斜状に設けられている
ことを特徴とする請求項１ないし４いずれか記載のコイン繰出装置。
【請求項６】
ガイド部は突出部と一体に形成されている
ことを特徴とする請求項１ないし５いずれか記載のコイン繰出装置。
【請求項７】
コイン収納部を形成するコイン収納容器を具備し、
ガイド部は前記コイン収納容器と一体に形成されている
ことを特徴とする請求項１ないし６いずれか記載のコイン繰出装置。
【請求項８】
突出部はコイン収納部に所定量以上収納されるコインを排出するオーバーフローシュートである
ことを特徴とする請求項１ないし７いずれか記載のコイン繰出装置。
【発明の詳細な説明】
【技術分野】
【０００１】
本発明は、コインを繰り出すコイン繰出装置に関する。
【背景技術】
【０００２】
従来、硬貨や遊技用のメダルなどのコインを繰り出すコイン繰出装置は、図６に示すように、コインＣを収納するコイン収納部１を形成するコイン収納容器２を有し、コイン収納部１の下部にコインＣを１枚ずつ繰り出すコイン繰出機構３が設けられている。コイン繰出機構３は、コインＣが１枚ずつ入り込む複数の繰出孔が形成された回転円板４を用い、この回転円板４の回転によって繰出孔に入り込んだコインＣを１枚ずつ繰り出している。
【０００３】
また、コイン収納容器２には、コイン収納部１内に所定量以上のコインＣが収納された場合に、超過分のコインＣを排出して補助コイン収納容器や回収用通路に回収するためのオーバーフローシュート５が設けられている。
【０００４】
一般に、オーバーフローシュート５は、板状の部品で構成することが多く、コイン収納部１の上方域であって回転円板４の上方域に突出する位置に、コインＣが滑り落ちるのに必要な穏やかな傾斜をもって取り付けられている（例えば、特許文献１参照。）。この場合、オーバーフローシュート５の下側のスペースにコインが入り込むことになる。
【０００５】
また、オーバーフローシュートの下側のスペースを埋めて、コインが入り込まないようにしたコイン繰出装置がある（例えば、特許文献２参照。）。
【特許文献１】特開２００１−１５５２０４号公報（図４）
【特許文献２】特開２０００−３５７２５３号公報（第４−５頁、図１−４）
【発明の開示】
【発明が解決しようとする課題】
【０００６】
しかしながら、オーバーフローシュート５を回転円板４の上方域に突出する位置に設けた場合、回転円板４が回転することで、回転円板４の繰出孔の周縁部や上面に有する凹凸により、コインＣを突き上げるような動きが生じるが、オーバーフローシュート５の下側で複数の硬貨Ｃが積み重なった状態にある場合には突き上げられたコインＣが逃げにくく、回転円板４とオーバーフローシュート５との間で複数のコインＣが突っ張った状態となり、回転円板４を回転駆動するモータに過大な負荷がかかったり、回転円板４がロックしてコイン繰出不能になることがある。
【０００７】
特に、図６に示すように、オーバーフローシュート５の下部のスペースでコインＣが棒状に積み重なってしまうと、コインＣがさらに逃げにくくなり、回転円板４のロックが発生しやすくなる。
【０００８】
また、オーバーフローシュートの下側のスペースを埋めて、コインが入り込まないように構成した場合、その分コインの収納量が減少してしまう。
【０００９】
本発明は、このような点に鑑みなされたもので、コイン収納部の上方域に突出する突出部の下側域からコインを逃がし、コイン繰出機構に負荷がかかるのを軽減できるとともに、コイン繰出不能になるのを防止できるコイン繰出装置を提供することを目的とする。
【課題を解決するための手段】
【００１０】
請求項１記載のコイン繰出装置は、コインを収納するコイン収納部と、このコイン収納部に収納されたコインを繰り出すコイン繰出機構と、前記コイン収納部の上方域の一部に突出する突出部と、この突出部の下側に設けられ、突出部の下側域のコインをその突出部の下側域から逃がす方向へ向けてガイドするガイド部とを具備しているものである。
【００１１】
そして、コイン収納部の上方域の一部に突出する突出部の下側に設けたガイド部により、突出部の下側域でコインが積み重なった場合でもそのコインを突出部の下側域から逃がす方向へ向けてガイドすることにより、コイン繰出機構と突出部との間で複数のコインが突っ張った状態となるのを防止し、コイン繰出機構に負荷がかかるのを軽減するとともに、コイン繰出機構がロックしてコイン繰出不能になるのを防止する。
【００１２】
請求項２記載のコイン繰出装置は、請求項１記載のコイン繰出装置において、ガイド部はコインを逃がす方向へ向けて突出するリブ状に設けられているものである。
【００１３】
そして、ガイド部を、コインを逃がす方向へ向けて突出するリブ状に設けることにより、突出部の下側域で積み重なったコインがガイド部に接触することでバランスを崩して倒れやすく、さらにより突っ張りにくくする。
【００１４】
請求項３記載のコイン繰出装置は、請求項２記載のコイン繰出装置において、リブ状のガイド部は間隔をあけて複数設けられているものである。
【００１５】
そして、リブ状のガイド部を、間隔をあけて複数設けることにより、広い範囲でガイド部の効果を発揮する。
【００１６】
請求項４記載のコイン繰出装置は、請求項３記載のコイン繰出装置において、複数のガイド部の間隔はコインの直径より小さく設けられているものである。
【００１７】
そして、複数のガイド部の間隔を、コインの直径より小さく設けることにより、コインが必ずガイド部に接触し、ガイド部を確実に機能する。
【００１８】
請求項５記載のコイン繰出装置は、請求項１ないし４いずれか記載のコイン繰出装置において、ガイド部はコインを逃がす方向へ向けて傾斜状に設けられているものである。
【００１９】
そして、ガイド部を、コインを逃がす方向へ向けて傾斜状に設けることにより、コインを突出部の下側域から逃がす方向へ向けて確実にガイドする。
【００２０】
請求項６記載のコイン繰出装置は、請求項１ないし５いずれか記載のコイン繰出装置において、ガイド部は突出部と一体に形成されているものである。
【００２１】
そして、ガイド部を、突出部と一体に形成することにより、部品点数を削減し、簡素化する。
【００２２】
請求項７記載のコイン繰出装置は、請求項１ないし６いずれか記載のコイン繰出装置において、コイン収納部を形成するコイン収納容器を具備し、ガイド部は前記コイン収納容器と一体に形成されているものである。
【００２３】
そして、ガイド部を、コイン収納容器と一体に形成することにより、部品点数を削減し、簡素化する。
【００２４】
請求項８記載のコイン繰出装置は、請求項１ないし７いずれか記載のコイン繰出装置において、突出部はコイン収納部に所定量以上収納されるコインを排出するオーバーフローシュートであるものである。
【００２５】
そして、突出部は、コイン収納部に所定量以上収納されるコインを排出するオーバーフローシュートであり、このオーバーフローシュートがコイン収納部の上部域に大きく突出しても、コイン繰出機構とオーバーフローシュートとの間で複数のコインが突っ張った状態となるのを防止する。
【発明の効果】
【００２６】
請求項１記載のコイン繰出装置によれば、コイン収納部の上方域の一部に突出する突出部の下側に設けたガイド部により、突出部の下側域でコインが積み重なった場合でもそのコインを突出部の下側域から逃がす方向へ向けてガイドするため、コイン繰出機構と突出部との間で複数のコインが突っ張った状態となるのを防止し、コイン繰出機構に負荷がかかるのを軽減できるとともに、コイン繰出機構がロックしてコイン繰出不能になるのを防止できる。
【００２７】
請求項２記載のコイン繰出装置によれば、請求項１記載のコイン繰出装置の効果に加えて、ガイド部を、コインを逃がす方向へ向けて突出するリブ状に設けたため、突出部の下側域で積み重なったコインがガイド部に接触することでバランスを崩して倒れやすく、さらにより突っ張りにくくできる。
【００２８】
請求項３記載のコイン繰出装置によれば、請求項２記載のコイン繰出装置の効果に加えて、リブ状のガイド部を、間隔をあけて複数設けたため、広い範囲でガイド部の効果を発揮できる。
【００２９】
請求項４記載のコイン繰出装置によれば、請求項３記載のコイン繰出装置の効果に加えて、複数のガイド部の間隔を、コインの直径より小さく設けたため、コインが必ずガイド部に接触し、ガイド部を確実に機能させることができる。
【００３０】
請求項５記載のコイン繰出装置によれば、請求項１ないし４いずれか記載のコイン繰出装置の効果に加えて、ガイド部を、コインを逃がす方向へ向けて傾斜状に設けたため、コインを突出部の下側域から逃がす方向へ向けて確実にガイドできる。
【００３１】
請求項６記載のコイン繰出装置によれば、請求項１ないし５いずれか記載のコイン繰出装置の効果に加えて、ガイド部を、突出部と一体に形成したため、部品点数を削減し、簡素化できる。
【００３２】
請求項７記載のコイン繰出装置によれば、請求項１ないし６いずれか記載のコイン繰出装置の効果に加えて、ガイド部を、コイン収納容器と一体に形成したため、部品点数を削減し、簡素化できる。
【００３３】
請求項８記載のコイン繰出装置によれば、請求項１ないし７いずれか記載のコイン繰出装置の効果に加えて、突出部は、コイン収納部に所定量以上収納されるコインを排出するオーバーフローシュートであり、このオーバーフローシュートがコイン収納部の上部域に大きく突出しても、コイン繰出機構とオーバーフローシュートとの間で複数のコインが突っ張った状態となるのを防止できる。
【発明を実施するための最良の形態】
【００３４】
以下、本発明の一実施の形態を図面を参照して説明する。
【００３５】
図５に、例えばパチスロ機などの遊技機器11を示し、この遊技機器11では、コインとしてメダル（以下、メダルをコインと呼ぶ）を使用し、コインを投入して操作し、獲得されるコインが払い出される。遊技機器11の機器本体12の上部側には周面に絵や文字が表示された円筒状の３つのドラム13などが配設され、機器本体12の下部側には投入されたコインや補給されたコインを受け入れるとともに払出時にコインをコイン繰出口14から１枚ずつ繰り出すコイン繰出装置15が配設されている。機器本体12の前面には、各ドラム13の周面が臨む窓部、操作部、コインの投入孔、コイン繰出装置15のコイン繰出口14から繰り出されるコインが払い出される払出口などが設けられている。
【００３６】
図１、図２および図５において、コイン繰出装置15は、ベース板21、このベース板21を支持して遊技機器11に取り付ける取付台22、このベース板21の上部に取り付けられるコイン収納容器としてのタンク23、コインＣを１枚ずつ繰り出すコイン繰出機構24を備えている。コイン繰出機構24は、ベース板21の上面でタンク23の内側に回転可能に配設される回転円板25、およびベース板21の下面側でコイン繰出口14に対応する位置に配設される繰出制御ユニット26を備えている。
【００３７】
ベース板21は、コイン繰出口14に対応する側を上部側として水平方向に対し約３０°傾斜する姿勢で取付台22に取り付けられている。
【００３８】
また、タンク23は、上面が開口されて複数枚のコインＣを受け入れ収納するコイン収納部28を有し、このコイン収納部28の周面が略四角形枠状の側壁29によって形成されている。回転円板25の傾斜の上部側の側壁29には、回転円板25の上方域にひさし状に突出するとともにコインＣが滑り落ちるのに必要な穏やかな傾斜をもってコイン収納部28の中央方向へ向けて下降傾斜するシュート部30が一体に形成され、このシュート部30上に収納するコインＣが受け入れる。また、回転円板25の傾斜の下部側の側壁29には、回転円板25の表面に対して略垂直であって斜めに配置される傾斜壁部31、およびこの傾斜壁部31の上端から上方へ向けて立ち上がる立上壁部32が形成され、この立上壁部32の一側寄り位置にタンク23に所定量以上送り込まれるコインＣを排出するための排出通路33を構成する排出口34が開口形成されている。
【００３９】
タンク23の下部には回転円板25の周囲に配置され周壁35が取り付けられ、この周壁35には、図示しないが、ベース板21の傾斜の上部側の一側に対応する周壁35の一部が切り欠かれてコインＣが繰り出される繰出口およびこの繰出口からコイン繰出口14に連通する繰出通路が形成されている。
【００４０】
また、タンク23の内側には、シュート部30とは反対側の一側寄り位置でかつコイン収納部28の上方域つまりコイン繰出機構24の回転円板25の上方域に突出して、タンク23内に所定量以上送り込まれる超過分のコインＣを排出口34から排出するための排出通路33を構成するオーバーフローシュート38が取り付けられている。このオーバーフローシュート38は、コインＣが滑り落ちるのに必要な穏やかな傾斜をもって排出口34へ向けて下降傾斜する板状のシュート面部39を有し、このシュート面部39の下面39aが回転円板25の上面に対向されている。シュート面部39の両側には規制壁部40，41が立設され、これら規制壁部40，41が形成されていない領域に超過分のコインＣをシュート面部39上に受け入れる排出通路33の受入口42が形成されている。そして、このオーバーフローシュート38が、コイン収納部28の上方域つまりコイン繰出機構24の回転円板25の上方域に突出する突出部43として構成されている。
【００４１】
図１ないし図３に示すように、オーバーフローシュート38のシュート面部39の下面39aには、オーバーフローシュート38の下側域のコインＣをそのオーバーフローシュート38の下側域から逃がす方向すなわちコイン収納部28の中央方向へ向けてガイドするガイド部44が一体に形成されている。このガイド部44は、コインＣを逃がす方向へ向けて突出するリブ状つまり板状で、間隔をあけて複数形成され、その間隔Ｌ（図４(c)参照）はコインＣの直径より小さく形成されている。各ガイド部44のコイン収納部28の外側に臨む縁部45が壁部29に沿って接合する形状に形成され、また、各ガイド部44のコイン収納部28の内方に臨む縁部46がコインＣを逃がす方向へ向けて傾斜状に設けられ、すなわち縁部46の下部側より上部側がコイン収納部28の内方へ突出されている。さらに、縁部46の先端形状は、図４(b)(c)に示すように、曲面に形成されている。
【００４２】
また、回転円板25は、タンク23の周壁35の内側でかつベース板21の上面に対して平行に配置されるとともに、ベース板21を回転自在に貫通する図示しない回転軸に固定されて回転自在に支持され、図示しない駆動部としてのモータによって回転軸を介して正転方向である繰出回転方向に回転駆動される。
【００４３】
回転円板25の周縁部には、処理するコインＣよりやや大きい径で回転円板25の上面から下面に貫通開口する複数の繰出孔49が円周方向に等間隔に形成されている。回転円板25の下面には、各繰出孔49の厚み方向の下部域から回転円板25の外径部まで連通開口された繰出溝50が形成されている。そして、繰出孔49を通じてベース板21上に接したコインＣを繰出溝50によって外径方向へ移動させて周壁35の繰出口に繰り出す。
【００４４】
また、繰出制御ユニット26は、周壁35の繰出口の位置で、回転円板25から外径方向に移動するコインＣを周壁35の繰出口から１枚ずつ受け入れてコイン繰出口14から繰り出させる繰出動作を制御するもので、コインＣの繰り出しを検知するフォトインタラプタなどの検知手段も備えている。
【００４５】
また、図５に示すように、オーバーフローシュート38を通じて排出されるコインＣを回収する補助タンクや回収通路などの回収部53を有している。
【００４６】
次に、本実施の形態の作用を説明する。
【００４７】
タンク23内には複数枚のコインＣを貯留する。タンク23の内側に設けたオーバーフローシュート38の受入口42の高さを超える量のコインＣは、そのオーバーフローシュート38を通じて排出し、回収部51に回収する。
【００４８】
そして、コインＣを繰り出すときには、回転円板25が回転し、この回転円板25でタンク23内のコインＣを攪拌する。回転する回転円板25の各繰出孔49にコインＣが１枚ずつ入り込んでベース板21上に落下し、コインＣに作用する遠心力によってコインＣが繰出溝50内を外径方向に移動して周壁35に当接する。回転円板25の回転に伴って、繰出溝50の外径側の開口端が周壁35の繰出口に対向することにより、繰出溝50内のコインＣが繰出口に移動し、繰出制御ユニット26を通じてコイン繰出口14から１枚ずつ繰り出される。
【００４９】
また、図１に示すように、コイン収納部28の上方域に突出するオーバーフローシュート38の下側において、例えば、コインＣがタンク23の側壁29に沿って傾斜壁部31および立上壁部32に寄りかかった状態で棒状に積み重なった場合に、回転する回転円板25の複数の繰出孔49が開口した表面の凹凸によって突き上げられたとき、オーバーフローシュート38の下側に設けたガイド部44により、コインＣをオーバーフローシュート38の下側域から逃がす方向つまりコイン収納部28の中央方向へ向けてガイドする。そのため、コイン繰出機構24の回転円板25とオーバーフローシュート38との間で複数のコインＣが突っ張った状態となるのを防止でき、これにより、コイン繰出機構24に負荷がかかるのを軽減できるとともに、コイン繰出機構24がロックしてコイン繰出不能になるのを防止できる。
【００５０】
特に、ガイド部44は、コインＣを逃がす方向へ向けて傾斜状に設けられているため、コインＣをオーバーフローシュート38の下側域から逃がす方向へ向けて確実にガイドできる。
【００５１】
さらに、ガイド部44は、コインＣを逃がす方向へ向けて突出するリブ状に設けているため、図４(b)に示すように、突き上げられたコインＣがガイド部44の縁部46に接触することで、バランスを崩して倒れやすく、さらにより突っ張りにくくできる。特に、ガイド部44の縁部46が曲面形状に形成されているため、接触したコインＣのバランスが崩れやすい。
【００５２】
また、リブ状のガイド部44を、間隔をあけて複数設けているため、広い範囲でガイド部44の効果を発揮できる。しかも、図４(c)に示すように、複数のガイド部44の間隔を、コインＣの直径より小さく設けているため、コインＣが必ずガイド部44に接触し、つまり図４(a)に示すようにオーバーフローシュート38の下面39aにコインＣが面接触することがなく、ガイド部44を確実に機能させることができる。
【００５３】
また、ガイド部44は、オーバーフローシュート38と一体に形成したため、部品点数を削減し、簡素化できる。なお、ガイド部44は、オーバーフローシュート38ではなく、タンク23と一体に形成してもよく、この場合にも、部品点数を削減し、簡素化できる。
【００５４】
なお、ガイド部44を設ける突出部43としては、オーバーフローシュート38に限らず、コイン収納部28の上方域つまりコイン繰出機構24の回転円板25の上方域に突出するシュート部30の下面にガイド部44を設けることで、コイン繰出機構24の負荷を軽減できる。
【００５５】
また、回転円板25は、コインＣを１枚ずつ捕捉して移動しながら繰り出すものであれば、傾斜姿勢に配置する傾斜円板式でも、水平姿勢に配置する水平円板式でもよく、さらに、繰出孔49を有さず、外縁にコインＣが１枚ずつ入り込む複数の溝部を有する星型形状でもよく、さらに、コインＣが入り込む開口や溝の底板を有する床付き円板方式でもよい。
【００５６】
また、コイン繰出装置で取り扱うコインには、遊技機器で使用するメダルに限らず、硬貨でも同様に取り扱うことができ、したがって、コイン繰出装置は硬貨処理機に設けることもできる。
【図面の簡単な説明】
【００５７】
【図１】本発明の一実施の形態を示すコイン繰出装置の断面図である。
【図２】同上コイン繰出装置の斜視図である。
【図３】同上コイン繰出装置のオーバーフローシュートの斜視図である。
【図４】同上コイン繰出装置の作用を説明するもので、(a)はコインが積み重なるためにコイン繰出機構がロックする要因を説明する説明図、(b)はリブ状のガイド部の作用を説明する説明図、(c)は複数のガイド部の間隔をコインの直径より小さくした場合の作用を説明する説明図である。
【図５】同上コイン繰出装置を用いた遊技機器の構成図である。
【図６】従来のコイン繰出装置の断面図である。
【符号の説明】
【００５８】
15    コイン繰出装置
23    コイン収納容器としてのタンク
24    コイン繰出機構
28    コイン収納部
38    オーバーフローシュート
43    突出部
44    ガイド部
Ｃ    コイン
【図１】
2005309848.tif 000003
【図２】
2005309848.tif 000004
【図３】
2005309848.tif 000005
【図４】
2005309848.tif 000006
【図５】
2005309848.tif 000007
【図６】
2005309848.tif 000008